(57)【要約】      （修正有）【課題】複数の画像投影装置を配置するスタック投影配置を行った場合でも、各画像投影装置から同一投影面に重ねて投影される映像の明るさ変動を抑制する画像投影装置、システム、方法、及びプログラムを提供する。【解決手段】システム制御部１０１は、各プロジェクタ１０の光源に同等の電力を供給している時に温度測定部１１６が検出した温度が所定の基準温度よりも上昇又は低下した場合に、現在の電力値よりも所定値分だけ低下又は上昇させた修正電力値に係る電力を自プロジェクタ１０の光源１０８に供給するとともに、修正電力値をＬＡＮポート１００４を介して一つのプロジェクタ１０に送信するように制御する。一方、システム制御部１０１は、ＬＡＮポート１００４を介して修正電力値を受信した場合に、修正電力値と修正電力値に係る増減状態に基づいて、自プロジェクタ１０の光源１０８に供給されている電力を低下又は上昇するように制御する。【選択図】図２
2017098889.tif 000002
【特許請求の範囲】
【請求項１】
光源を備えた一つの画像投影装置と接続されるとともに、光源を備え前記一つの画像投影装置が投影した画像と同一の画像を同一投影面に重ねて投影する画像投影装置であって、
自画像投影装置内の温度を検出する温度検出手段と、
前記一つの画像投影装置と通信する通信手段と、
制御手段と、を備え、
前記制御手段は、前記各画像投影装置の光源に同等の電力を供給している時に前記温度検出手段が検出した温度が所定の基準温度よりも上昇又は低下した場合に、現在の電力値よりも所定値分だけ低下又は上昇させた修正電力値に係る電力を前記自画像投影装置の光源に供給するとともに、前記修正電力値を前記通信手段を介して前記一つの画像投影装置に送信するように制御し、
前記制御手段は、前記通信手段を介して前記修正電力値を受信した場合に、前記修正電力値と前記修正電力値に係る増減状態に基づいて、前記自画像投影装置の光源に供給されている電力を低下又は上昇するように制御することを特徴とする画像投影装置。
【請求項２】
前記制御手段は、前記温度検出手段が検出した温度が上昇中である場合に、当該温度が前記所定の基準温度よりも低下したときに、現在の電力値よりも所定値分だけ上昇させた修正電力値に係る電力を前記自画像投影装置の光源に供給するとともに、前記修正電力値を前記一つの画像投影装置に送信するように制御することを特徴とする請求項１記載の画像投影装置。
【請求項３】
前記制御手段は、前記温度検出手段が検出した温度が上昇中ではない場合に、当該温度が前記所定の基準温度よりも上昇したときに、現在の電力値よりも所定値分だけ低下させた修正電力値に係る電力を前記自画像投影装置の光源に供給するとともに、前記修正電力値を前記一つの画像投影装置に送信するように制御することを特徴とする請求項１記載の画像投影装置。
【請求項４】
前記制御手段は、前記一つの画像投影装置から修正電力値を受信した場合には、前記修正電力値と前記修正電力値に係る増減状態に基づいて、前記自画像投影装置の光源に供給されている電力を低下又は上昇するように制御することを特徴とする請求項１記載の画像投影装置。
【請求項５】
前記制御手段は、前記温度検出手段が検出した温度値を前記一つの画像投影装置に送信するように制御し、
前記制御手段は、前記一つの画像投影装置から前記修正電力値及び温度値を受信した場合に、前記自画像投影装置に係る前記温度検出手段が検出した温度値が全ての前記画像投影装置の中で最も低いときに、前記自画像投影装置に係る現在の電力値よりも所定値分だけ上昇させた修正電力値に係る電力を前記自画像投影装置の光源に供給するように制御することを特徴とする請求項１記載の画像投影装置。
【請求項６】
光源を備えた複数の画像投影装置を接続するとともに、前記各画像投影装置を用いて夫々に同一の画像を同一投影面に重ねて投影する画像投影システムであって、
前記各画像投影装置は、
前記各画像投影装置内の温度を検出する温度検出手段と、
他の前記画像投影装置と通信する通信手段と、
制御手段と、を備え、
自画像投影装置の前記制御手段は、他の前記画像投影装置の光源に同等の電力を供給している時に前記温度検出手段が検出した温度が所定の基準温度よりも上昇又は低下した場合に、現在の電力値よりも所定値分だけ低下又は上昇させた修正電力値に係る電力を前記自画像投影装置の光源に供給するとともに、前記修正電力値を前記通信手段を介して前記他の画像投影装置に送信するように制御し、
前記他の画像投影装置の前記制御手段は、前記通信手段を介して前記修正電力値を受信した場合に、前記修正電力値と前記修正電力値に係る増減状態に基づいて、前記他の画像投影装置の光源に供給されている電力を低下又は上昇するように制御することを特徴とする画像投影システム。
【請求項７】
前記他の画像投影装置の前記制御手段は、前記通信手段を介して修正電力値を受信した場合に、前記修正電力値と前記修正電力値に係る増減状態、及び前記他の画像投影装置の台数に基づいて、前記修正電力値の変化値を前記他の画像投影装置の台数を用いて等分して分配値を算出し、前記他の画像投影装置の光源に供給されている電力を前記分配値分だけ低下又は上昇するように制御することを特徴とする請求項６記載の画像投影システム。
【請求項８】
光源を備えた一つの画像投影装置と接続されるとともに、光源を備え前記一つの画像投影装置が投影した画像と同一の画像を同一投影面に重ねて投影する画像投影装置による画像投影方法であって、
自画像投影装置内の温度を検出する温度検出ステップと、
前記一つの画像投影装置と通信する通信ステップと、
制御ステップと、を実行し、
前記制御ステップは、前記各画像投影装置の光源に同等の電力を供給している時に前記温度検出ステップが検出した温度が所定の基準温度よりも上昇又は低下した場合に、現在の電力値よりも所定値分だけ低下又は上昇させた修正電力値に係る電力を前記自画像投影装置の光源に供給するとともに、前記修正電力値を前記通信ステップを介して前記一つの画像投影装置に送信するように制御し、
前記制御ステップは、前記通信ステップを介して前記修正電力値を受信した場合に、前記修正電力値と前記修正電力値に係る増減状態に基づいて、前記自画像投影装置の光源に供給されている電力を低下又は上昇するように制御することを特徴とする画像投影方法。
【請求項９】
請求項８記載の画像投影方法における各ステップをプロセッサに実行させることを特徴とするプログラム。
【発明の詳細な説明】
【技術分野】
【０００１】
本発明は、画像投影装置、画像投影システム、画像投影方法、及びプログラムに関する。
【背景技術】
【０００２】
従来、画像投影装置の冷却において、装置内の温度上昇を抑制するためにファンの回転数が上限に達した場合に、装置内の発熱を抑えるたにランプに供給する電力を低下させる方法が知られている。
また、複数の画像投影装置を配置しておき、同じ映像を同じスクリーン上に重ねて投影することで、より明るく投影するというスタック投影配置が既に知られている。
特許文献１には、画像投影装置の冷却において、温度の上昇によりファンの回転数が上限に達した場合に、発熱を抑えるためランプの電力を低下させる方法が開示されている。
【発明の概要】
【発明が解決しようとする課題】
【０００３】
しかし、従来の画像投影装置において、装置内の温度の上昇を抑制するためにファンの回転数が上限に達した場合、装置内の発熱を抑えるためにランプに供給する電力を低下させるという手法では、ランプに供給する電力を下げた時に投影される映像が暗くなってしまうといった問題があった。
また、複数の画像投影装置を配置するスタック投影配置にあっても、１台の画像投影装置がランプに供給する電力を下げて発熱を抑えた場合には、投影される映像が暗くなってしまうといった問題があった。
また、特許文献１にあっては、スタック投影配置を行った場合に、１台のプロジェクタが装置内の発熱を抑制するためにランプに供給する電力を下げたときには、投影される映像が暗くなってしまうといった問題は解消できていない。
本発明は、上記に鑑みてなされたもので、その目的は、複数の画像投影装置を配置するスタック投影配置を行った場合でも、各画像投影装置から同一投影面に重ねて投影される映像の明るさ変動を抑制することにある。
【課題を解決するための手段】
【０００４】
請求項１記載の発明は、上記課題を解決するため、光源を備えた一つの画像投影装置と接続されるとともに、光源を備え前記一つの画像投影装置が投影した画像と同一の画像を同一投影面に重ねて投影する画像投影装置であって、自画像投影装置内の温度を検出する温度検出手段と、前記一つの画像投影装置と通信する通信手段と、制御手段と、を備え、前記制御手段は、前記各画像投影装置の光源に同等の電力を供給している時に前記温度検出手段が検出した温度が所定の基準温度よりも上昇又は低下した場合に、現在の電力値よりも所定値分だけ低下又は上昇させた修正電力値に係る電力を前記自画像投影装置の光源に供給するとともに、前記修正電力値を前記通信手段を介して前記一つの画像投影装置に送信するように制御し、前記制御手段は、前記通信手段を介して前記修正電力値を受信した場合に、前記修正電力値と前記修正電力値に係る増減状態に基づいて、前記自画像投影装置の光源に供給されている電力を低下又は上昇するように制御することを特徴とする。
【発明の効果】
【０００５】
本発明によれば、複数の画像投影装置を配置するスタック投影配置を行った場合でも、各画像投影装置から同一投影面に重ねて投影される映像の明るさ変動を抑制することができる。
【図面の簡単な説明】
【０００６】
【図１】本発明の第１実施形態に係る画像投影システムの基本構成を示す図である。
【図２】図１に示すプロジェクタの構成を示すブロック図である。
【図３】本発明の第１実施形態に係る画像投影システムのシーケンスを示すシーケンス図である。
【図４】本発明の第１実施形態に係る画像投影システムに用いるプロジェクタの動作を示すフローチャートである。
【図５】本発明の第２実施形態に係る画像投影システムの基本構成を示す図である。
【図６】本発明の第２実施形態に係る画像投影システムのシーケンスを示すシーケンス図である。
【図７】本発明の第３実施形態に係る画像投影システムのシーケンスを示すシーケンス図である。
【図８】本発明の第３実施形態に係る画像投影システムに用いるプロジェクタの動作を示すフローチャートである。
【発明を実施するための形態】
【０００７】
以下、本発明を図面に示した実施の形態により詳細に説明する。
本発明は、複数の画像投影装置を配置するスタック投影配置を行った場合でも、各画像投影装置から同一投影面に重ねて投影される映像の明るさ変動を抑制するために、以下の構成を有する。
すなわち、本発明の画像投影装置は、光源を備えた一つの画像投影装置と接続されるとともに、光源を備え一つの画像投影装置が投影した画像と同一の画像を同一投影面に重ねて投影する画像投影装置であって、自画像投影装置内の温度を検出する温度検出手段と、
一つの画像投影装置と通信する通信手段と、制御手段と、を備え、制御手段は、各画像投影装置の光源に同等の電力を供給している時に温度検出手段が検出した温度が所定の基準温度よりも上昇又は低下した場合に、現在の電力値よりも所定値分だけ低下又は上昇させた修正電力値に係る電力を自画像投影装置の光源に供給するとともに、修正電力値を通信手段を介して一つの画像投影装置に送信するように制御し、制御手段は、通信手段を介して修正電力値を受信した場合に、修正電力値と修正電力値に係る増減状態に基づいて、自画像投影装置の光源に供給されている電力を低下又は上昇するように制御することを特徴とする。
以上の構成を備えることにより、複数の画像投影装置を配置するスタック投影配置を行った場合でも、各画像投影装置から同一投影面に重ねて投影される映像の明るさ変動を抑制することができる。
上記の本発明の特徴に関して、以下、図面を用いて詳細に説明する。
【０００８】
＜第１実施形態＞
＜画像投影システム＞
図１を参照して、本発明の第１実施形態に係る画像投影システムの基本構成について説明する。図１は、本発明の第１実施形態に係る画像投影システムの基本構成を示す図である。
図１に示すように、画像投影システム１は、画像投影装置である２台のプロジェクタ１０Ａ、１０Ｂ、ＬＡＮケーブル１２Ａ、１２Ｂ、ルータ１４、スクリーン１６、パーソナルコンピュータＰＣ１８を備えている。
画像投影システム１は、プロジェクタ１０Ａ、１０Ｂの２台をスタック投影配置として配置し、同様の映像を１つのスクリーン１６上に投影している。
２台のプロジェクタは、例えばＬＡＮケーブル１２Ａ、１２Ｂを介してルータ１４に接続されており、さらに、ルータ１４にはパーソナルコンピュータＰＣ１８が接続されている。
【０００９】
パーソナルコンピュータＰＣ１８は、ルータ１４を介して２台のプロジェクタ１０Ａ、１０Ｂに同様の映像を送信し、各プロジェクタから１つのスクリーン１６上に投影された同一の画像が重なるようにしている。
プロジェクタ１０Ａ、１０Ｂは、例えば最大２５０Ｗのランプパワー設定値で投影することが可能である。
図１においては、例えば、１９０Ｗのランプパワー設定値で投影しており、スクリーン１６には、１９０Ｗ×２＝３８０Ｗに相当する明るさで映像が投影されており、プロジェクタ１台で投影するよりも２倍明るい映像を投影できる。また、ランプパワー設定値を最大値で使用せず、抑えて使用すると、消耗品であるランプの寿命を延ばすことができるという効果もある。
【００１０】
＜プロジェクタの構成＞
図２を参照して、画像投影装置であるプロジェクタの構成について説明する。図２は、図１に示すプロジェクタの構成を示すブロック図である。
プロジェクタ１０は、外部Ｉ／Ｆ部１００、システム制御部１０１、音声処理部１０２、スピーカー１０３、映像処理部１０４、光学ユニット制御部１０５、光学ユニット１０６、光源制御部１０７、光源１０８、電源制御部１０９、電源１１０、操作部１１１、リモコン受信部１１２、記憶部１１３、ファン制御部１１４、ファン１１５、温度測定部１１６を備えている。
外部Ｉ／Ｆ部１００は、電子機器との間で各種情報を入出力するためのインターフェースである。外部Ｉ／Ｆ部１００を介して、映像出力機器等と接続されることで画像データや音声データを含む各種情報の入出力（送受信）を行う。
外部Ｉ／Ｆ部１００は、画像データや画像データの制御情報等の送受信を行うための映像ポート１００１と、音声データや音声データの制御情報等の送受信を行うための音声ポート１００２と、ＵＳＢ（Universal Serial Bus）端子と接続された電子機器と各種情報を送受信するためのＵＳＢポート１００３と、ネットワークへ接続しＬＡＮ接続された電子機器と各種情報を送受信するためのＬＡＮポート１００４（無線ＬＡＮポートでもよい）とを有する。
【００１１】
システム制御部１０１は、プロジェクタ１０を構成する他の各部を制御する。システム制御部１０１は、ＣＰＵ（Central Processing Unit）１０１１、ＲＯＭ（Read Only Memory）１０１２、ＲＡＭ（Random Access Memory）１０１３を備えている。
ＣＰＵ１０１１は、ＲＯＭ１０１２やシステム制御部１０１に記憶された各種プログラムに従って、各種制御や機能を実現する演算装置である。ＲＯＭ１０１２は、プロジェクタ１０で実行可能な各種プログラムや、これらの各種プログラムを実行する際に使用される各種データ、及びＣＰＵ１０１１の演算処理結果などを記憶する不揮発性の半導体メモリ（記憶装置）である。ＲＡＭ１０１３は、ＣＰＵ１０１１によって実行される各種プログラムなどを展開するためのプログラム格納領域や、各種入出力データや各種プログラムの実行結果などを格納するデータ格納領域などを備える揮発性の半導体メモリ（記憶装置）である。
【００１２】
システム制御部１０１は、各プロジェクタの光源に同等の電力を供給している時に温度測定部１１６が検出した温度が所定の基準温度よりも上昇又は低下した場合に、現在の電力値よりも所定値分だけ低下又は上昇させた修正電力値に係る電力を自プロジェクタの光源１１０に供給するとともに、修正電力値をＬＡＮポート１１０４を介して一つのプロジェクタ１０Ｂに送信するように制御する。
また、システム制御部１０１は、ＬＡＮポート１１０４を介して他のプロジェクタから修正電力値を受信した場合に、修正電力値と修正電力値に係る増減状態に基づいて、プロジェクタの光源１１０に供給されている電力を低下又は上昇するように制御する。
システム制御部１０１は、他のプロジェクタから受信したランプパワー設定値と受信時刻をＲＡＭ１０１３に記憶しており、ランプパワー設定値に関する今回の値から前回の値を引いた差の値の符号が「＋」である場合に電力が減少状態であるとし、符号が「−」である場合に電力が増加状態であると判断する。
【００１３】
音声処理部１０２は、外部Ｉ／Ｆ部１００を介して入力された（受信した）音声データのうち、音量調整や音質調整等の処理を行う。音声処理部１０２は、入力された音声データに対して音量調整や音質調整等の処理を行った後、この処理後の音声データをスピーカー１０３や音声出力ポートに出力する。
スピーカー１０３は、音声処理部１０２から入力された音声データに従って、音声を出力する音声出力装置である。なお、スピーカー１０３は、プロジェクタ１０に内蔵されている内蔵型のスピーカーでもよいし、例えば音声出力ポートを介してケーブルやネットワークなどに接続される外部機器のスピーカーでもよい。
映像処理部１０４は、外部Ｉ／Ｆ部１００を介して入力された（受信した）画像データに対して、システム制御部１０１が適切に扱えるよう各種処理を行う。映像処理部１０４は、入力された画像データに対して各種処理を行った後、この処理後の画像データをＲＡＭ１０１３やバッファメモリ等に出力する。
【００１４】
光学ユニット制御部１０５は、光学ユニット１０６を制御して、映像処理部１０４からＲＡＭ１０１３やバッファメモリ等に出力された画像データの投影を行う。光学ユニット１０６は、レンズ、ミラーなどの光学部品から構成されるユニット（部品）である。
光源制御部１０７は、システム制御部１０１からの指示に基づいて、光源１０８の点灯や消灯などを制御する。光源制御部１０７は、システム制御部１０１から指示される電力値、又は修正電力値に基づいて、光源１０８に供給する電力を制御する。光源１０８は、例えば水銀ランプなどである。
電源制御部１０９は電源１１０を制御する。電源１１０はプロジェクタ１０に電力を供給する。
操作部１１１は、ユーザからの各種操作入力を受け付け、システム制御部１０１を介して、操作入力に対応する機能を実現させる。
操作部１１１は、例えばカーソルキーや文字／数字キー、各種機能キー等からの入力を受けつけることが可能である。リモコン受信部１１２はリモコンなど遠隔からの各種操作入力を受け付け、システム制御部１０１を介して、操作入力に対応する機能を実現させる。リモコン受信部１１２は、例えば赤外線方式のリモコンからカーソルキーや文字／数字キー、各種機能の入力をつけつけることが可能である。
【００１５】
記憶部１１３は、例えばＥＥＰＲＯＭ（Electrically Erasable Programmable ROM）等の不揮発性の半導体メモリ（記憶装置）である。記憶部１１３は、プロジェクタ１０が実行可能な各種プログラムやこれらの各種プログラムを実行する際に使用される各種データ等を記憶する。各種データとは、例えばプロジェクタ１０に設定された設定値などである。なお、記憶部１１３は、例えばＨＤ（Hard Disk）などの記憶装置であってもよい。また、記憶部１１３は、例えばプロジェクタ１０とネットワークを介して接続される記憶装置であってもよい。
ファン制御部１１４は、ファン１１５を制御する。ファン１１５は、本体もしくは部品を冷却したり、排熱したりするためのものである。
温度測定部１１６は、光源１０８のケース内側や、ファン１１５の吸気部又は排気部に設けられ、プロジェクタ内部の温度を測定する温度センサである。
【００１６】
＜画像投影システムのシーケンス＞
図３を参照して、本発明の第１実施形態に係る画像投影システムのシーケンスについて説明する。図３は、本発明の第１実施形態に係る画像投影システムのシーケンスを示すシーケンス図である。
Ｓｅ１では、ユーザがプロジェクタ１０Ｂの電源をＯＮする。
Ｓｅ２では、プロジェクタ１０Ｂは、自身の電力値であるランプパワー設定値をＬＡＮポート１０４を介してプロジェクタ１０Ａに送信する。しかし、この時点では、プロジェクタ１０Ａは、電源がＯＦＦ状態であるので、プロジェクタ１０Ｂからの通信を受信できない。
Ｓｅ３では、ユーザがプロジェクタ１０Ａの電源をＯＮする。
Ｓｅ４ａでは、プロジェクタ１０Ａは、自身の電力値であるランプパワー設定値をＬＡＮポート１０４を介してプロジェクタ１０Ｂに送信する。
これに応じて、Ｓｅ４ｂでは、プロジェクタ１０Ｂは、自身の電力値であるランプパワー設定値をプロジェクタ１０Ａに返信する。
以上の動作により、プロジェクタ１０Ａ、プロジェクタ１０Ｂはそれぞれの電力値であるランプパワー設定値を互いに確認することができる。
【００１７】
Ｓｅ５では、プロジェクタ１０Ａは、温度測定部１１６から取得した温度が前回測定した温度よりも上昇したことを検知したため、ランプパワー設定値を所定値分だけ低下させた修正電力値を光源制御部１０７に出力する。光源制御部１０７は、システム制御部１０１から指示される修正電力値に基づいて、光源１０８に供給する電力を制御する。
Ｓｅ６では、プロジェクタ１０Ａは、自身の電力値であるランプパワー設定値を変更したので、このランプパワー設定値（修正電力値）をプロジェクタ１０Ｂに送信する。
【００１８】
Ｓｅ７では、プロジェクタ１０Ｂは、プロジェクタ１０Ａが下げたランプパワー設定値の分だけ、自身のランプパワー設定値を上昇させる。
ここで、プロジェクタ１０Ｂでは、システム制御部１０１は、プロジェクタ１０Ａから受信したランプパワー設定値と受信時刻をＲＡＭ１０１３に記憶しており、ランプパワー設定値に関する今回の値から前回の値を引いた差の値の符号が「＋」である場合に電力値が減少状態であるとし、符号が「−」である場合に電力値が増加状態であると判断する。
すなわち、プロジェクタ１０Ｂのシステム制御部１０１は、プロジェクタ１０Ａにおいて１９０Ｗ−１５０Ｗ＝４０Ｗ分だけランプパワー設定値を下げたので、差の値の符号が「＋」となり、プロジェクタ１０Ａが減少状態となったことが解る。これにより、スクリーン１６上に投影されている重なり合った画像の明るさの変動を抑制する。
そこで、プロジェクタ１０Ｂのシステム制御部１０１は、プロジェクタ１０Ａとは逆に、１９０Ｗ＋４０Ｗ＝２３０Ｗにランプパワー設定値を上昇させる。
Ｓｅ８では、プロジェクタ１０Ｂは、自身のランプパワー設定値を変更したので、自身のランプパワー設定値をプロジェクタ１０Ａに送信する。
【００１９】
Ｓｅ９では、プロジェクタ１０Ａは、温度の低下を検知したため、ランプパワー設定値を上昇させる。
Ｓｅ１０では、プロジェクタ１０Ａは、自身のランプパワー設定値を変更したので、自身のランプパワー設定値をプロジェクタ１０Ｂに送信する。
Ｓｅ１１では、プロジェクタ１０Ｂは、プロジェクタ１０Ａが上げたランプパワー設定値の分、自身のランプパワー設定値を低下させる。
ここで、プロジェクタ１０Ｂでは、システム制御部１０１は、プロジェクタ１０Ａから受信したランプパワー設定値と受信時刻をＲＡＭ１０１３に記憶しており、ランプパワー設定値に関する今回の値から前回の値を引いた差の値の符号が「＋」である場合に減少状態であるとし、符号が「−」である場合に増加状態であると判断する。
すなわち、プロジェクタ１０Ｂのシステム制御部１０１は、プロジェクタ１０Ａにおいて１９０Ｗ−１５０Ｗ＝４０Ｗ分となり、４０Ｗだけランプパワー設定値を低下させたので、符号が「＋」となり、プロジェクタ１０Ａの電力が減少状態となったことが解る。
そこで、プロジェクタ１０Ｂのシステム制御部１０１は、プロジェクタ１０Ａ（減少状態）とは逆に、２３０Ｗ−４０Ｗ＝１９０Ｗにランプパワー設定値を減少させる。
【００２０】
Ｓｅ１２では、プロジェクタ１０Ｂは、自身のランプパワー設定値を変更したので、自身のランプパワー設定値をプロジェクタ１０Ａに送信する。
上記シーケンスにより、プロジェクタ１０Ａがランプパワー設定値を低下させても、プロジェクタ１０Ｂがランプパワー設定値を上昇させるので、プロジェクタ１０Ａ、１０Ｂの合計であるランプパワー設定値が維持され、その結果、スクリーン１６上に重ねて投影される画像の明るさを維持することができる。
【００２１】
本実施形態によれば、温度測定部１１６がプロジェクタ１０Ａ内の温度を検出する。ＬＡＮポート１１０４が一つのプロジェクタ１０Ｂと通信する。システム制御部１０１は、各プロジェクタ１０の光源に同等の電力を供給している時（Ｓｅ２〜Ｓｅ４ｂ）に温度測定部１１６が検出した温度が所定の基準温度よりも上昇（Ｓｅ５）又は低下（Ｓｅ９）した場合に、現在の電力値よりも所定値分だけ低下（Ｓｅ５）又は上昇（Ｓｅ９）させた修正電力値に係る電力を自プロジェクタ１０Ａの光源１１０に供給するとともに、修正電力値をＬＡＮポート１１０４を介して一つのプロジェクタ１０Ｂに送信するように制御する。
また、システム制御部１０１は、ＬＡＮポート１１０４を介して修正電力値を受信した場合に、修正電力値と修正電力値に係る増減状態に基づいて、プロジェクタ１０Ｂの光源１１０に供給されている電力を低下（Ｓｅ１１）又は上昇（Ｓｅ７）するように制御する。
これにより、複数のプロジェクタを配置するスタック投影配置を行った場合でも、各プロジェクタから同一スクリーン１６に重ねて投影される映像の明るさ変動を抑制することができる。
【００２２】
＜プロジェクタの動作フロー＞
図４を参照して、本発明の第１実施形態に係る画像投影システムに用いるプロジェクタの動作について説明する。図４は、本発明の第１実施形態に係る画像投影システムに用いるプロジェクタの動作を示すフローチャートである。
ステップＳ１０１では、システム制御部１０１は、他のプロジェクタからのランプパワー設定値に変更がある旨を受信した場合は、ステップＳ１０５に進む。一方、この旨を受信しない場合は、ステップＳ１０２に進む。
【００２３】
ステップＳ１０２では、システム制御部１０１は、自身の温度測定部１１６から取得した温度と取得時刻をＲＡＭ１０１３に記憶しており、温度に関する今回の値から前回の値を引いた差の値の符号が「＋」である場合に温度が下降中であるとし、符号が「−」である場合に温度が上昇中であると判断する。システム制御部１０１は、自身の温度測定部１１６から取得した温度が上昇中である場合は、ステップＳ１０４に進む。一方、自身の温度測定部１１６から取得した温度が上昇中でない場合は、ステップＳ１０３に進む。
自身の温度測定部１１６から取得した温度が上昇中でない場合、ステップＳ１０３では、システム制御部１０１は、自身の温度が規定値より上昇して高い場合は、ステップＳ１０６に進む。一方、自身の温度が規定値より低い場合は、ステップＳ１０１に戻る。
ステップＳ１０４では、システム制御部１０１は、自身の温度が規定値より低い場合は、ステップＳ１０７に進む。一方、自身の温度が規定値よりも高い場合は、ステップＳ１０１に戻る。
【００２４】
ステップＳ１０５では、システム制御部１０１は、ランプパワー設定値を変更する。ここで、システム制御部１０１は、受信したランプパワー設定値と受信時刻をＲＡＭ１０１３に記憶しており、ランプパワー設定値に関する今回の値から前回の値を引いた差の値の符号が「＋」である場合に減少状態であるとし、符号が「−」である場合に増加状態であると判断する。ステップＳ１０１で通知を送信した送信元のプロジェクタがランプパワー設定値を上げた場合は、自身のランプパワー設定値をその分低下させる。一方、送信元のプロジェクタがランプパワー設定値を下げた場合は、自身のランプパワー設定値をその分上昇させる。
【００２５】
一方、ステップＳ１０６では、システム制御部１０１は、自身のランプパワー設定値を低下させる。
他方、ステップＳ１０７では、システム制御部１０１は、自身のランプパワー設定値を上昇させる。
ステップＳ１０８では、システム制御部１０１は、ステップＳ１０５、Ｓ１０６、Ｓ１０７で変更したランプパワー設定値を他のプロジェクタに通知する。
【００２６】
本実施形態によれば、システム制御部１０１は、温度測定部１１６が検出した温度が上昇中である場合（Ｓ１０２、Ｙｅｓ）に、当該温度が所定の基準温度よりも低下したとき（Ｓ１０４、Ｙｅｓ）に、現在の電力値よりも所定値分だけ上昇させた修正電力値に係る電力を自プロジェクタ１０の光源１１０に供給する（Ｓ１０７）とともに、修正電力値を一つのプロジェクタ１０に送信する（Ｓ１０８）ように制御する。
また、システム制御部１０１は、温度測定部１１６が検出した温度が上昇中ではない場合（Ｓ１０２、Ｎｏ）に、当該温度が所定の基準温度よりも上昇したとき（Ｓ１０３、Ｙｅｓ）に、現在の電力値よりも所定値分だけ低下させた修正電力値に係る電力を自プロジェクタ１０の光源１１０に供給する（Ｓ１０６）とともに、修正電力値を一つのプロジェクタ１０に送信する（Ｓ１０８）ように制御する。
さらに、システム制御部１０１は、一つのプロジェクタ１０から修正電力値を受信した場合（Ｓ１０１、Ｙｅｓ）には、修正電力値と修正電力値に係る増減状態に基づいて、自プロジェクタ１０の光源１１０に供給されている電力を低下又は上昇するように制御する（Ｓ１０５）。
これにより、複数のプロジェクタを配置するスタック投影配置を行った場合でも、各プロジェクタから同一スクリーン１６に重ねて投影される映像の明るさ変動を抑制することができる。
【００２７】
本実施形態によれば、自プロジェクタ１０のシステム制御部１０１は、各プロジェクタ１０の光源１１０に同等の電力を供給している時に温度測定部１１６が検出した温度が所定の基準温度よりも上昇（Ｓ１０３、Ｙｅｓ）又は低下（Ｓ１０４、Ｙｅｓ）した場合に、現在の電力値よりも所定値分だけ低下（Ｓ１０６）又は上昇（Ｓ１０７）させた修正電力値に係る電力を自プロジェクタ１０の光源１１０に供給するとともに、修正電力値をＬＡＮポート１１０４を介して他のプロジェクタ１０に送信する（Ｓ１０８）ように制御する。一方、他のプロジェクタ１０のシステム制御部１０１は、ＬＡＮポート１１０４を介して修正電力値を受信した場合（Ｓ１０１）に、修正電力値と修正電力値に係る増減状態に基づいて、他のプロジェクタ１０の光源１１０に供給されている電力を低下又は上昇するように制御する（Ｓ１０５）。
これにより、複数のプロジェクタを配置するスタック投影配置を行った場合でも、各プロジェクタから同一スクリーン１６に重ねて投影される映像の明るさ変動を抑制することができる。
【００２８】
＜第２実施形態＞
＜画像投影システム＞
図５を参照して、本発明の第２実施形態に係る画像投影システムの基本構成について説明する。図５は、本発明の第２実施形態に係る画像投影システムの基本構成を示す図である。
第１実施形態では、２台のプロジェクタが配置されているのに対して、第２実施形態では、３台のプロジェクタが配置されていることが相違する。
図５に示すように、プロジェクタ１０Ａ、１０Ｂ、１０Ｃから同一の画像を同一のスクリーン１６上に投影している。３台のプロジェクタは、夫々にＬＡＮケーブルを介してルータ１４に接続されており、ルータ１４を介して双方向に通信することが可能である。
プロジェクタ１０Ａ、１０Ｂ、１０Ｃは、最大２５０Ｗのランプパワー設定値で投影することができる。現在時点では、各プロジェクタが１９０Ｗのランプパワー設定値で投影しており、スクリーン１６には、１９０Ｗ×３＝５７０Ｗ相当の明るさで映像が投影されており、プロジェクタ１台で投影するよりも明るい映像が投影できる。
【００２９】
＜画像投影システムのシーケンス＞
図６を参照して、本発明の第２実施形態に係る画像投影システムのシーケンスについて説明する。図６は、本発明の第２実施形態に係る画像投影システムのシーケンスを示すシーケンス図である。
Ｓｅ１０１では、ユーザがプロジェクタ１０Ｃの電源をＯＮする
Ｓｅ１０２では、プロジェクタ１０Ｃは、自身のランプパワー設定値をプロジェクタ１０Ｂに送信する。しかし、この時点では、プロジェクタ１０Ｂは、電源がＯＦＦ状態であるので、プロジェクタ１０Ｃからの通信を受信できない。
【００３０】
Ｓｅ１０３では、プロジェクタ１０Ｃは、自身のランプパワー設定値をプロジェクタ１０Ａに送信する。しかし、この時点では、プロジェクタ１０Ａは、電源がＯＦＦ状態であるので、プロジェクタ１０Ｃからの通信を受信できない。
Ｓｅ１０４では、ユーザがプロジェクタ１０Ｂの電源をＯＮする。
Ｓｅ１０５では、プロジェクタ１０Ｂは、自身のランプパワー設定値をプロジェクタ１０Ａに送信する。しかし、この時点では、プロジェクタ１０Ａは、電源がＯＦＦ状態であるので、プロジェクタ１０Ｂからの通信を受信できない。
【００３１】
Ｓｅ１０６ａでは、プロジェクタ１０Ｂは、自身のランプパワー設定値をプロジェクタ１０Ｃに送信する。
これに応じて、Ｓｅ１０６ｂでは、プロジェクタ１０Ｃは、自身のランプパワー設定値をプロジェクタ１０Ｂに返信する。
Ｓｅ１０７では、ユーザがプロジェクタ１０Ａの電源をＯＮする。
Ｓｅ１０８ａでは、プロジェクタ１０Ａは、自身のランプパワー設定値をプロジェクタ１０Ｂに送信する。
【００３２】
これに応じて、Ｓｅ１０８ｂでは、プロジェクタ１０Ｂは、自身のランプパワー設定値をプロジェクタ１０Ａに返信する。
Ｓｅ１０９ａでは、プロジェクタ１０Ａは、自身のランプパワー設定値をプロジェクタ１０Ｃに送信する。
これに応じて、Ｓｅ１０９ｂでは、プロジェクタ１０Ｃは、自身のランプパワー設定値をプロジェクタ１０Ａに返信する。
以上の動作により、プロジェクタ１０Ａ、プロジェクタ１０Ｂ、プロジェクタ１０Ｃはそれぞれ他のランプパワー設定値を確認することができる。
【００３３】
Ｓｅ１１０では、プロジェクタ１０Ａは、温度測定部１１６から取得した温度が前回測定した温度よりも上昇したことを検知したため、ランプパワー設定値を所定値分だけ低下させる。
Ｓｅ１１１では、プロジェクタ１０Ａは、自身のランプパワー設定値を変更したので、自身のランプパワー設定値をプロジェクタ１０Ｂに送信する。プロジェクタ１０Ｂは、プロジェクタ１０Ａからランプパワー設定値を受信する。
Ｓｅ１１２では、プロジェクタ１０Ａは、自身のランプパワー設定値を変更したので、自身のランプパワー設定値をプロジェクタ１０Ｃに送信する。プロジェクタ１０Ｃは、プロジェクタ１０Ａからランプパワー設定値を受信する。
【００３４】
ここで、プロジェクタ１０Ｂでは、システム制御部１０１は、プロジェクタ１０Ａから受信したランプパワー設定値と受信時刻をＲＡＭ１０１３に記憶しており、ランプパワー設定値に関する今回の値から前回の値を引いた差の値の符号が「＋」である場合に減少状態であるとし、符号が「−」である場合に増加状態であると判断する。
Ｓｅ１１３では、プロジェクタ１０Ｂのシステム制御部１０１は、プロジェクタ１０Ａが低下させたランプパワー設定値の変化値の半分だけ、自身のランプパワー設定値を上昇させる。
ここで、プロジェクタ１０Ａに対して、他のプロジェクタであるプロジェクタ１０Ｂ、１０Ｃの２台は、台数を用いて等分して分配値を算出し、光源であるランプに供給されている電力を分配値分だけ上昇するように制御する。
第２実施形態では、プロジェクタ１０Ａが、変化値＝１９０Ｗ−１５０Ｗ＝４０Ｗ分だけランプパワー設定値を低下させたので、符号が「＋」となり、プロジェクタ１０Ａが減少状態となったことが解る。そこで、プロジェクタ１０Ｂのシステム制御部１０１は、プロジェクタ１０Ａとは逆に、１９０Ｗ＋４０Ｗ／２＝２１０Ｗにランプパワー設定値を上昇させる。
【００３５】
上述したＳｅ１１３での処理と同様に、Ｓｅ１１４では、プロジェクタ１０Ｃのシステム制御部１０１は、プロジェクタ１０Ａが低下させたランプパワー設定値の変化値の半分だけ、自身のランプパワー設定値を上昇させる。
第２実施形態では、プロジェクタ１０Ａが、変化値＝１９０Ｗ−１５０Ｗ＝４０Ｗだけランプパワー設定値を低下させたので、プロジェクタ１０Ｃは、１９０Ｗ＋４０Ｗ／２＝２１０Ｗにランプパワー設定値を上昇させる。
上記シーケンスＳｅ１１０〜１１４により、プロジェクタ１０Ａがランプパワー設定値を低下させた場合でも、プロジェクタ１０Ｂ、１０Ｃの２台がランプパワー設定値をそれぞれ１／２ずつ上昇させるので、スクリーン上の投影画像の明るさは維持することができる。
【００３６】
なお、第２実施形態では、図４に示すフローチャート、ステップＳ１０５において、ステップＳ１０１で通知（ランプパワー設定値に変更がある旨）を送信した送信元のプロジェクタがランプパワー設定値を低下させた場合は、図６に示すシーケンスＳｅ１１３、Ｓｅ１１４のように、その変化値の半分を他の２台のプロジェクタが自身のランプパワー設定値を上昇させる。
【００３７】
本実施形態によれば、他のプロジェクタ１０のシステム制御部１０１は、ＬＡＮポート１１０４を介して修正電力値を受信した場合に、修正電力値と修正電力値に係る増減状態、及び他のプロジェクタ１０の台数に基づいて、修正電力値の変化値を他のプロジェクタ１０の台数を用いて等分して分配値を算出し、他のプロジェクタ１０の光源に供給されている電力を分配値分だけ低下又は上昇するように制御する。
これにより、複数のプロジェクタを配置するスタック投影配置を行った場合でも、各プロジェクタから同一スクリーン１６に重ねて投影される映像の明るさ変動を抑制することができる。
【００３８】
＜第３実施形態＞
本発明の第３実施形態に係る画像投影システムは、第２実施形態において説明した図５に示す技術的事項に適用することとする。
＜シーケンス＞
図７を参照して、本発明の第３実施形態に係る画像投影システムのシーケンスについて説明する。図７は、本発明の第３実施形態に係る画像投影システムのシーケンスを示すシーケンス図である。
Ｓｅ２０１では、プロジェクタ１０Ａは、自身の温度測定部１１６から取得した現在の温度値をプロジェクタ１０Ｂに送信する。
Ｓｅ２０２では、プロジェクタ１０Ａは、自身の温度測定部１１６から取得した現在の温度値をプロジェクタ１０Ｃに送信する。
Ｓｅ２０３では、プロジェクタ１０Ｃは、自身の温度測定部１１６から取得した現在の温度をプロジェクタ１０Ｂに送信する。
【００３９】
Ｓｅ２０４では、プロジェクタ１０Ｃは、自身の温度測定部１１６から取得した現在の温度値をプロジェクタ１０Ａに送信する。
Ｓｅ２０５では、プロジェクタ１０Ｂは、自身の温度測定部１１６から取得した現在の温度値をプロジェクタ１０Ａに送信する。
Ｓｅ２０６では、プロジェクタ１０Ｂは、自身の温度測定部１１６から取得した現在の温度値をプロジェクタ１０Ｃに送信する。
以上のシーケンスにより、ロジェクタ１０Ａ、１０Ｂ、１０Ｃは、互いに夫々の現在の温度値を確認することができる。プロジェクタ間の通知は、例えば５秒間隔で定期的に、または、各プロジェクタの温度が例えば２℃変化する度に、などのタイミングで送信することが好ましい。
また、ロジェクタ１０Ａ、１０Ｂ、１０Ｃの各システム制御部１０１は、自身の温度測定部１１６から取得した温度値と取得時刻、さらに他のプロジェクタから受信した温度値と取得時刻をＲＡＭ１０１３に記憶している。
【００４０】
Ｓｅ２０７では、プロジェクタ１０Ａは、温度測定部１１６から取得した温度が前回測定した温度よりも上昇したことを検知したため、自身のランプパワー設定値を低下させる。
Ｓｅ２０８では、プロジェクタ１０Ａは、自身のランプパワー設定値を変更したので、自身のランプパワー設定値をプロジェクタ１０Ｂに送信する。
Ｓｅ２０９では、プロジェクタ１０Ａは、自身のランプパワー設定値を変更したので、自身のランプパワー設定値をプロジェクタ１０Ｃに送信する。
次いで、各システム制御部１０１は、ＲＡＭ１０１３から読み出した各プロジェクタの温度値をそれぞれ比較して、最も低い温度値のプロジェクタを特定する。
Ｓｅ２１０では、プロジェクタ１０Ｂは、他のプロジェクタ１０Ａ、１０Ｂの温度値と比較した結果、自身の温度値が１番低いため、プロジェクタ１０Ａが低下させたランプパワー設定値の変化値だけ、自身のランプパワー設定値を上昇させる。
【００４１】
第３実施形態では、プロジェクタ１０Ａは、１９０Ｗ−１５０Ｗ＝４０Ｗにランプパワー設定値を低下させたので、プロジェクタ１０Ｂは、１９０Ｗ＋４０Ｗ＝２３０Ｗにランプパワー設定値を上昇させる。
上記シーケンスＳｅ２０１〜２１０により、プロジェクタ１０Ａがランプパワー設定値を低下させた場合でも、スクリーン上の投影画像の明るさは維持することができる。また、３台のプロジェクタの中で温度値が１番低く、温度変化に余裕のあるプロジェクタのランプパワー設定値を上昇させることができる。
【００４２】
＜プロジェクタの動作＞
図８を参照して、本発明の第３実施形態に係る画像投影システムに用いるプロジェクタの動作について説明する。図８は、本発明の第３実施形態に係る画像投影システムに用いるプロジェクタの動作を示すフローチャートである。
図８に示すステップＳ１０１〜Ｓ１０８は、図４に示すステップＳ１０１〜Ｓ１０８と同様であり、その説明を省略する。
図８に示すステップＳ２０９では、システム制御部１０１は、変更されたランプパワー設定値を送信した送信元のプロジェクタ以外の他のプロジェクタにおいて、自身の装置に係る温度が一番高ければ、ステップＳ２１０に進む。
ステップＳ２１０では、システム制御部１０１は、ランプパワー設定値を送信した送信元のプロジェクタがランプパワー設定値を低下させた変化値の分、自身の装置に係るランプパワー設定値を上昇させる。
【００４３】
本実施形態によれば、システム制御部１０１は、温度測定部１１６が検出した温度値を一つのプロジェクタ１０に送信する（Ｓ１０８）ように制御し、システム制御部１０１は、一つのプロジェクタ１０から修正電力値及び温度値を受信した場合（Ｓ１０１、Ｙｅｓ）に、自プロジェクタ１０に係る温度測定部１１６が検出した温度値が全てのプロジェクタ１０の中で最も低いとき（Ｓ２０９、Ｙｅｓ）に、自プロジェクタ１０に係る現在の電力値よりも所定値分だけ上昇させた修正電力値に係る電力を自プロジェクタ１０の光源１１０に供給するように制御する（Ｓ２１０）。
これにより、画像投影システム内のあるプロジェクタが光源１１０の電力値を低下させた場合でも、最も温度が低いプロジェクタがその電力値分の電力を上昇させて光源１１０に供給できるので、各プロジェクタから同一スクリーン１６に重ねて投影される映像の明るさ変動を抑制することができる。
【００４４】
＜本発明の実施態様例の構成、作用、効果＞
＜第１態様＞
本態様のプロジェクタ１０（画像投影装置）は、光源１１０を備えた一つのプロジェクタ１０と接続されるとともに、光源１１０を備え一つのプロジェクタ１０が投影した画像と同一の画像を同一スクリーン１６に重ねて投影するプロジェクタ１０であって、自プロジェクタ１０内の温度を検出する温度測定部１１６（温度検出手段）と、一つのプロジェクタ１０と通信するＬＡＮポート１１０４（通信手段）と、システム制御部１０１（制御手段）と、を備え、システム制御部１０１は、各プロジェクタ１０の光源に同等の電力を供給している時に温度測定部１１６が検出した温度が所定の基準温度よりも上昇又は低下した場合に、現在の電力値よりも所定値分だけ低下又は上昇させた修正電力値に係る電力を自プロジェクタ１０の光源１１０に供給するとともに、修正電力値をＬＡＮポート１１０４を介して一つのプロジェクタ１０に送信するように制御し、システム制御部１０１は、ＬＡＮポート１１０４を介して修正電力値を受信した場合に、修正電力値と修正電力値に係る増減状態に基づいて、自プロジェクタ１０の光源１１０に供給されている電力を低下又は上昇するように制御することを特徴とする。
本態様によれば、温度測定部１１６が自プロジェクタ１０内の温度を検出する。ＬＡＮポート１１０４が一つのプロジェクタ１０と通信する。システム制御部１０１は、各プロジェクタ１０の光源に同等の電力を供給している時に温度測定部１１６が検出した温度が所定の基準温度よりも上昇又は低下した場合に、現在の電力値よりも所定値分だけ低下又は上昇させた修正電力値に係る電力を自プロジェクタ１０の光源１１０に供給するとともに、修正電力値をＬＡＮポート１１０４を介して一つのプロジェクタ１０に送信するように制御する。一方、システム制御部１０１は、ＬＡＮポート１１０４を介して修正電力値を受信した場合に、修正電力値と修正電力値に係る増減状態に基づいて、自プロジェクタ１０の光源１１０に供給されている電力を低下又は上昇するように制御する。
これにより、複数のプロジェクタを配置するスタック投影配置を行った場合でも、各プロジェクタから同一スクリーン１６に重ねて投影される映像の明るさ変動を抑制することができる。
【００４５】
＜第２態様＞
本態様のシステム制御部１０１は、温度測定部１１６が検出した温度が上昇中である場合（Ｓ１０２、Ｙｅｓ）に、当該温度が所定の基準温度よりも低下したとき（Ｓ１０４、Ｙｅｓ）に、現在の電力値よりも所定値分だけ上昇させた修正電力値に係る電力を自プロジェクタ１０の光源１１０に供給する（Ｓ１０７）とともに、修正電力値を一つのプロジェクタ１０に送信する（Ｓ１０８）ように制御することを特徴とする。
本態様によれば、システム制御部１０１は、温度測定部１１６が検出した温度が上昇中である場合（Ｓ１０２、Ｙｅｓ）に、当該温度が所定の基準温度よりも低下したとき（Ｓ１０４、Ｙｅｓ）に、現在の電力値よりも所定値分だけ上昇させた修正電力値に係る電力を自プロジェクタ１０の光源１１０に供給する（Ｓ１０７）とともに、修正電力値を一つのプロジェクタ１０に送信する（Ｓ１０８）ように制御する。
これにより、複数のプロジェクタを配置するスタック投影配置を行った場合でも、各プロジェクタから同一スクリーン１６に重ねて投影される映像の明るさ変動を抑制することができる。
【００４６】
＜第３態様＞
本態様のシステム制御部１０１は、温度測定部１１６が検出した温度が上昇中ではない場合（Ｓ１０２、Ｎｏ）に、当該温度が所定の基準温度よりも上昇したとき（Ｓ１０３、Ｙｅｓ）に、現在の電力値よりも所定値分だけ低下させた修正電力値に係る電力を自プロジェクタ１０の光源１１０に供給する（Ｓ１０６）とともに、修正電力値を一つのプロジェクタ１０に送信する（Ｓ１０８）ように制御することを特徴とする。
本態様によれば、システム制御部１０１は、温度測定部１１６が検出した温度が上昇中ではない場合（Ｓ１０２、Ｎｏ）に、当該温度が所定の基準温度よりも上昇したとき（Ｓ１０３、Ｙｅｓ）に、現在の電力値よりも所定値分だけ低下させた修正電力値に係る電力を自プロジェクタ１０の光源１１０に供給する（Ｓ１０６）とともに、修正電力値を一つのプロジェクタ１０に送信する（Ｓ１０８）ように制御する。
これにより、複数のプロジェクタを配置するスタック投影配置を行った場合でも、各プロジェクタから同一スクリーン１６に重ねて投影される映像の明るさ変動を抑制することができる。
【００４７】
＜第４態様＞
本態様のシステム制御部１０１は、一つのプロジェクタ１０から修正電力値を受信した場合（Ｓ１０１、Ｙｅｓ）には、修正電力値と修正電力値に係る増減状態に基づいて、自プロジェクタ１０の光源１１０に供給されている電力を低下又は上昇するように制御する（Ｓ１０５、Ｎｏ）ことを特徴とする。
本態様によれば、システム制御部１０１は、一つのプロジェクタ１０から修正電力値を受信した場合（Ｓ１０１、Ｙｅｓ）には、修正電力値と修正電力値に係る増減状態に基づいて、自プロジェクタ１０の光源１１０に供給されている電力を低下又は上昇するように制御する（Ｓ１０５）。
これにより、複数のプロジェクタを配置するスタック投影配置を行った場合でも、各プロジェクタから同一スクリーン１６に重ねて投影される映像の明るさ変動を抑制することができる。
【００４８】
＜第５態様＞
本態様のシステム制御部１０１は、温度測定部１１６が検出した温度値を一つのプロジェクタ１０に送信する（Ｓ１０８）ように制御し、システム制御部１０１は、一つのプロジェクタ１０から修正電力値及び温度値を受信した場合（Ｓ１０１、Ｙｅｓ）に、自プロジェクタ１０に係る温度測定部１１６が検出した温度値が全てのプロジェクタ１０の中で最も低いとき（Ｓ２０９、Ｙｅｓ）に、自プロジェクタ１０に係る現在の電力値よりも所定値分だけ上昇させた修正電力値に係る電力を自プロジェクタ１０の光源１１０に供給するように制御する（Ｓ２１０）ことを特徴とする。
本態様によれば、システム制御部１０１は、温度測定部１１６が検出した温度値を一つのプロジェクタ１０に送信する（Ｓ１０８）ように制御し、システム制御部１０１は、一つのプロジェクタ１０から修正電力値及び温度値を受信した場合（Ｓ１０１、Ｙｅｓ）に、自プロジェクタ１０に係る温度測定部１１６が検出した温度値が全てのプロジェクタ１０の中で最も低いとき（Ｓ２０９、Ｙｅｓ）に、自プロジェクタ１０に係る現在の電力値よりも所定値分だけ上昇させた修正電力値に係る電力を自プロジェクタ１０の光源１１０に供給するように制御する（Ｓ２１０）。
これにより、画像投影システム内のあるプロジェクタが光源１１０の電力値を低下させた場合でも、最も温度が低いプロジェクタがその電力値分の電力を上昇させて光源１１０に供給できるので、各プロジェクタから同一スクリーン１６に重ねて投影される映像の明るさ変動を抑制することができる。
【００４９】
＜第６態様＞
本態様の画像投影システム１は、光源１１０を備えた複数のプロジェクタ１０を接続するとともに、各プロジェクタ１０を用いて夫々に同一の画像を同一スクリーン１６に重ねて投影する画像投影システムであって、各プロジェクタ１０は、各プロジェクタ１０内の温度を検出する温度測定部１１６と、他のプロジェクタ１０と通信するＬＡＮポート１１０４と、システム制御部１０１と、を備え、自プロジェクタ１０のシステム制御部１０１は、各プロジェクタ１０の光源１１０に同等の電力を供給している時に温度測定部１１６が検出した温度が所定の基準温度よりも上昇（Ｓ１０３、Ｙｅｓ）又は低下（Ｓ１０４、Ｙｅｓ）した場合に、現在の電力値よりも所定値分だけ低下（Ｓ１０６）又は上昇（Ｓ１０７）させた修正電力値に係る電力を自プロジェクタ１０の光源１１０に供給するとともに、修正電力値をＬＡＮポート１１０４を介して他のプロジェクタ１０に送信する（Ｓ１０８）ように制御し、他のプロジェクタ１０のシステム制御部１０１は、ＬＡＮポート１１０４を介して修正電力値を受信した場合（Ｓ１０１）に、修正電力値と修正電力値に係る増減状態に基づいて、他のプロジェクタ１０の光源１１０に供給されている電力を低下又は上昇するように制御する（Ｓ１０５）ことを特徴とする。
本態様によれば、自プロジェクタ１０のシステム制御部１０１は、各プロジェクタ１０の光源１１０に同等の電力を供給している時に温度測定部１１６が検出した温度が所定の基準温度よりも上昇（Ｓ１０３、Ｙｅｓ）又は低下（Ｓ１０４、Ｙｅｓ）した場合に、現在の電力値よりも所定値分だけ低下（Ｓ１０６）又は上昇（Ｓ１０７）させた修正電力値に係る電力を自プロジェクタ１０の光源１１０に供給するとともに、修正電力値をＬＡＮポート１１０４を介して他のプロジェクタ１０に送信する（Ｓ１０８）ように制御し、一方、他のプロジェクタ１０のシステム制御部１０１は、ＬＡＮポート１１０４を介して修正電力値を受信した場合（Ｓ１０１）に、修正電力値と修正電力値に係る増減状態に基づいて、他のプロジェクタ１０の光源１１０に供給されている電力を低下又は上昇するように制御する（Ｓ１０５）。
これにより、複数のプロジェクタを配置するスタック投影配置を行った場合でも、各プロジェクタから同一スクリーン１６に重ねて投影される映像の明るさ変動を抑制することができる。
【００５０】
＜第７態様＞
本態様の他のプロジェクタ１０のシステム制御部１０１は、ＬＡＮポート１１０４を介して修正電力値を受信した場合に、修正電力値と修正電力値に係る増減状態、及び他のプロジェクタ１０の台数に基づいて、修正電力値の変化値を他のプロジェクタ１０の台数を用いて等分して分配値を算出し、他のプロジェクタ１０の光源に供給されている電力を分配値分だけ低下又は上昇するように制御することを特徴とする。
本態様によれば、他のプロジェクタ１０のシステム制御部１０１は、ＬＡＮポート１１０４を介して修正電力値を受信した場合に、修正電力値と修正電力値に係る増減状態、及び他のプロジェクタ１０の台数に基づいて、修正電力値の変化値を他のプロジェクタ１０の台数を用いて等分して分配値を算出し、他のプロジェクタ１０の光源に供給されている電力を分配値分だけ低下又は上昇するように制御する。
これにより、複数のプロジェクタを配置するスタック投影配置を行った場合でも、各プロジェクタから同一スクリーン１６に重ねて投影される映像の明るさ変動を抑制することができる。
【００５１】
＜第８態様＞
本態様の画像投影方法は、光源１１０を備えた一つのプロジェクタ１０と接続されるとともに、光源１１０を備え一つのプロジェクタ１０が投影した画像と同一の画像を同一スクリーン１６に重ねて投影するプロジェクタ１０による画像投影方法であって、自プロジェクタ１０内の温度を検出する温度検出ステップと、一つのプロジェクタ１０と通信する通信ステップと、制御ステップと、を実行し、制御ステップは、各プロジェクタ１０の光源１１０に同等の電力を供給している時に温度検出ステップが検出した温度が所定の基準温度よりも上昇（Ｓ１０３、Ｙｅｓ）又は低下（Ｓ１０４、Ｙｅｓ）した場合に、現在の電力値よりも所定値分だけ低下（Ｓ１０６）又は上昇（Ｓ１０７）させた修正電力値に係る電力を自プロジェクタ１０の光源１１０に供給するとともに、修正電力値を通信ステップを介して一つのプロジェクタ１０に送信する（Ｓ１０８）ように制御し、制御ステップは、通信ステップを介して修正電力値を受信した場合（Ｓ１０１）に、修正電力値と修正電力値に係る増減状態に基づいて、自プロジェクタ１０の光源１１０に供給されている電力を低下又は上昇するように制御する（Ｓ１０５）ことを特徴とする。
本態様によれば、制御ステップは、各プロジェクタ１０の光源１１０に同等の電力を供給している時に温度検出ステップが検出した温度が所定の基準温度よりも上昇（Ｓ１０３、Ｙｅｓ）又は低下（Ｓ１０４、Ｙｅｓ）した場合に、現在の電力値よりも所定値分だけ低下（Ｓ１０６）又は上昇（Ｓ１０７）させた修正電力値に係る電力を自プロジェクタ１０の光源１１０に供給するとともに、修正電力値を通信ステップを介して一つのプロジェクタ１０に送信する（Ｓ１０８）ように制御し、制御ステップは、通信ステップを介して修正電力値を受信した場合（Ｓ１０１）に、修正電力値と修正電力値に係る増減状態に基づいて、自プロジェクタ１０の光源１１０に供給されている電力を低下又は上昇するように制御する（Ｓ１０５）。
これにより、複数のプロジェクタを配置するスタック投影配置を行った場合でも、各プロジェクタから同一スクリーン１６に重ねて投影される映像の明るさ変動を抑制することができる。
【００５２】
＜第９態様＞
本態様のプログラムは、第８態様記載の画像投影方法における各ステップをプロセッサに実行させることを特徴とするプログラム。
本態様によれば、画像投影方法における各ステップをプロセッサに実行させることができる。
これにより、複数のプロジェクタを配置するスタック投影配置を行った場合でも、各プロジェクタから同一スクリーン１６に重ねて投影される映像の明るさ変動を抑制することができる。
【符号の説明】
【００５３】
１…画像投影システム、１０Ａ、１０Ｂ、１０Ｃ…プロジェクタ（画像投影装置）、１２Ａ、１２Ｂ…ＬＡＮケーブル、１４…ルータ、１６…スクリーン、１６…同一スクリーン、１８…パーソナルコンピュータＰＣ、１００…Ｉ／Ｆ部、１０１…システム制御部、１０２…音声処理部、１０３…スピーカー、１０４…ＬＡＮポート、１０４…映像処理部、１０５…光学ユニット制御部、１０６…光学ユニット、１０７…光源制御部、１０８…光源、１０９…電源制御部、１１０…光源、１１０…電源、１１０４…ＬＡＮポート、１１１…操作部、１１２…リモコン受信部、１１３…記憶部、１１４…ファン制御部、１１５…ファン、１１６…温度測定部、１００１…映像ポート、１００２…音声ポート、１００３…ＵＳＢポート、１００４…ＬＡＮポート、１０１１…ＣＰＵ、１０１２…ＲＯＭ、１０１３…ＲＡＭ
【先行技術文献】
【特許文献】
【００５４】
【特許文献１】特許第３４７１７７２号公報
【図１】
2017098889.tif 000003
【図２】
2017098889.tif 000004
【図３】
2017098889.tif 000005
【図４】
2017098889.tif 000006
【図５】
2017098889.tif 000007
【図６】
2017098889.tif 000008
【図７】
2017098889.tif 000009
【図８】
2017098889.tif 000010